(57)【要約】      （修正有）【課題】表示される各種情報の表示効果を向上する表示装置を提供する。【解決手段】表示体１１Ａと、表示体１１Ａの内部と外部とを連通する連通部１３Ａと、表示体１１Ａに内蔵され、芳香液を霧化して噴射する噴霧装置１と、を備えている。噴霧装置１は、芳香液容器Ａに着脱自在に取り付けられる噴霧装置１であって、気体噴出用ノズルと芳香液噴出用ノズルとを有する二流体ノズル構造のノズル本体であり、気体と芳香液とを噴出後に混合して霧化する外部混合のノズル本体と、圧送される気体を容器内に供給する気体供給路と、前記容器内と前記気体噴出用ノズルとを連通する気体用連通路と、前記芳香液容器内と前記芳香液噴出用ノズルとを連通する芳香液用連通路と、芳香液用連通路を流れる芳香液の流量を調節する流量調節弁と、を備えていることを特徴とする。【選択図】図１
0003146540.tif 000002
【実用新案登録請求の範囲】
【請求項１】
表示体と、
前記表示体の内部と外部とを連通する連通部と、
前期表示体に内蔵され、芳香液を霧化して噴射する噴霧装置と、
を備えていることを特徴とする表示装置。
【請求項２】
前記噴霧装置が、芳香液容器に着脱自在に取り付けられる噴霧装置であって、
前記芳香液容器の芳香液出口に対して蓋をするキャップ部と
気体噴出用ノズルと芳香液噴出用ノズルとを有する二流体ノズル構造のノズル本体であり、気体と芳香液とを噴出後に混合して霧化する外部混合のノズル本体と、
圧送される気体を芳香液容器内に供給する気体供給路と、
前記芳香液容器内と前記気体噴出用ノズルとを連通する気体用連通路と、
前記芳香液容器内と前記芳香液噴出用ノズルとを連通する芳香液用連通路と、
前記芳香液用連通路を流れる芳香液の流量を調節する流量調節弁と、
を備えていることを特徴とする請求項１に記載の表示装置。
【請求項３】
前記ノズル本体とキャップ部との間に、前記気体用連通路と連通する気体用延長ホースと、前記芳香液用連通路と連通する芳香液用延長ホースとが介在されていることを特徴とする請求項１または２に記載の表示装置。
【考案の詳細な説明】
【技術分野】
【０００１】
本考案は、たとえば、広告、絵画、写真等を表示する表示装置に関する。
【背景技術】
【０００２】
広告、絵画、写真等を表示する表示装置は、たとえば、広告、絵画、写真等の各種表示媒体を支持することで、各種情報を視覚的に提供するものであるが、最近では、より高い表示効果を有する表示装置が求められている。本出願人は、表示される各種情報の表示効果を向上させるという観点から鋭意研究の結果、本考案に至ったものである。
【０００３】
なお、本考案に関連する先行技術文献のうち、出願人が本件特許出願時に知っているものがないので、開示すべき先行技術文献情報はない。
【考案の開示】
【考案が解決しようとする課題】
【０００４】
本考案は、このような問題に対処することを課題とするものである。すなわち、表示される各種情報の表示効果の向上が本考案の目的である。
【課題を解決するための手段】
【０００５】
前記目的を達成するため、本考案に係る表示装置は、次の構成を少なくとも具備する。
【０００６】
本考案に係る表示装置は、表示体と、該表示体の内部と外部とを連通する連通部と、前記表示体に内蔵され、芳香液を霧化して噴射する噴霧装置とを備えていることを特徴とする。
【０００７】
また、前記噴霧装置が、芳香液容器に着脱自在に取り付けられる噴霧装置であって、気体噴出用ノズルと芳香液噴出用ノズルとを有する二流体ノズル構造のノズル本体であり、気体と芳香液とを噴出後に混合して霧化する外部混合のノズル本体と、圧送される気体を容器内に供給する気体供給路と、前記容器内と前記気体噴出用ノズルとを連通する気体用連通路と、前記芳香液容器内と前記芳香液噴出用ノズルとを連通する芳香液用連通路と、芳香液用連通路を流れる芳香液の流量を調節する流量調節弁と、を備えていることを特徴とする。
【０００８】
また、前記ノズル本体とキャップ部との間に、前記気体用連通路と連通する気体用延長ホースと、前記芳香液用連通路と連通する芳香液用延長ホースとが介在されていることを特徴とする。
【考案を実施するための最良の形態】
【０００９】
以下、本考案に係る表示装置を実施するための最良の形態を図面に基づいて説明する。図１〜図３は、本考案に係る表示装置の一実施例を示し、図中、符号１０Ａは表示装置である。
【００１０】
本実施例の表示装置１０Ａは、図１に示すように、透明な筒体からなる表示体１１Ａと、該表示体１１Ａを支持する支持体１２Ａと、前記表示体１１Ａに内蔵された噴霧装置１と、該噴霧装置１を取り付けた芳香液容器Ａと、コンプレッサＢとを備え、前記表示体１１Ａの上端側開口を該表示体１１Ａの内部と外部とを連通する連通部１３Ａとしている。
【００１１】
前記表示体１１Ａは、平面円形とする筒体であり、その内部に、紙や可撓性を有する薄板等に、たとえば広告、絵画、写真等が記載された表示媒体Ｂが挿入され、該表示媒体Ｂに記載された内容が表示体１１Ａの外部から透けて見えるようにしてある。前記表示媒体Ｂは、前記表示体１１Ａの内周面に沿わせて接触するように丸めて挿入してある。符号１１０は、コンプレッサＢの電源コード（図示せず）が挿通する挿通孔である。
【００１２】
なお、前記表示体１１Ａは、例示した平面円形とする筒体に限られず、平面四角形・三角形を含む多角形状の筒体、あるいは、平面楕円・長円の筒体等、いずれの形状としてもよい（図示せず）。また、本形態では、前記連通部１３Ａを表示体１１Ａの上端開口としているが、表示体１１Ａの上端が塞がれている形態の場合、該表示体１１Ａの側面や上端に連通孔を開孔して連通部としてもよい（図示せず）。
【００１３】
前記支持体１２Ａは、平面円形の容器状のものであり、この支持体１２Ａに前記表示体１１Ａの下端側を載置することで、該表示体１１Ａを支持する。また、該表示体１１Ａの下端開口内に位置する支持体１２Ａの部位は、前記噴霧装置１を取り付けた芳香液容器ＡとコンプレッサＢを載置する載置面１４Ａとしている。
【００１４】
前記コンプレッサＢは、前記載置面１４Ａに直接載置されている。前記芳香液容器Ａは、前記載置面１４Ａに載置される支持枠Ｃに、前記コンプレッサＢの上方に位置するように支持されている。
【００１５】
なお、前記コンプレッサＢは、例示した電源コードを有するものに限られず、電池式のものでもよい（図示せず）。
【００１６】
前記噴霧装置１は、コンプレッサＢから圧送される気体によって、芳香液容器Ａ内の芳香液を霧化して噴射するものである。この噴霧装置１から噴射された霧は、前記連通部１３Ａから表示体１１Ａの外部へ噴出される。
【００１７】
前記芳香液は、前記表示体１１Ａに表示する内容をイメージさせたり、該内容を印象付けたりする香りの芳香液を用いることが好ましい。たとえば、化粧品等の広告を表示する場合、この化粧品をイメージさせたり印象付けたりする香りの芳香液を用いることによって、該広告を視覚的および嗅覚的に表示することができるので、広告の商品をより強くアピールして、より高い広告効果を発揮することができる。また、広告以外にも、たとえば、森林や海の写真や絵画を表示する場合、森林浴や海をイメージさせたり印象付けたりする香りの芳香液を用いることによって、表示する写真や絵画の内容をより強くアピールすることができる。
【００１８】
本実施例に用いられる噴霧装置１は、図２および図３に示すように、気体噴出用ノズル２０と芳香液噴出用ノズル２１とを有する二流体ノズル構造のノズル本体２であり、気体と芳香液とを噴出後に混合して霧化する外部混合のノズル本体２を備えたものである。すなわち、前記芳香液噴出用ノズル２１から噴出する芳香液に向かって、その周りから気体を噴出させて芳香液に衝突させることによって、芳香液が微細な粒子となって霧化され、該霧が連続して噴出する気体により拡散するように噴射される構造のものである。
【００１９】
前記噴霧装置１は、芳香液容器Ａの芳香液出口Ａ１を有する小径部Ａ１０の外周に形成された雄ねじ部Ａ２に対して螺合する雌ねじ部１０を有するキャップ部１１を備えており、該キャップ部１１を前記雌ねじ部１０に螺合することにより、芳香液出口Ａ１に対して蓋をするように芳香液容器Ａに取り付けるようにしてある。
【００２０】
符号１２は、前記小径部Ａ１０に対して嵌合する凹部であり、該凹部１２の周面に前記雌ねじ部１０が形成されている。該凹部１２の上端部１３は、キャップ部１１を前記小径部Ａ１０に対して螺合したとき、この上端面１３が前記芳香液出口Ａ１に対して密着して塞ぐようにしてある。なお、前記雄ねじ部Ａ２は、前記芳香液出口Ａ１を開閉する容器用の蓋（図示せず）の取り付け用のものである。
【００２１】
本実施例の前記噴霧装置１は、図２および図３に示すように、前記ノズル本体２と、前記コンプレッサＢにより圧送される気体を芳香液容器Ａ内に供給する気体供給路３と、前記芳香液容器Ａ内と前記気体噴出用ノズル２０とを連通する気体用連通路４と、前記芳香液容器Ａ内と前記芳香液噴出用ノズル２１とを連通する芳香液用連通路５と、該芳香液用連通路５を流れる芳香液の流量を調節する芳香液流量調節弁６とを備えている。
【００２２】
前記ノズル本体２は、図３および図４に示すように、前記キャップ部１１の上面に突設され、上部を前記気体噴出用ノズル２０と芳香液噴出用ノズル２１が配置されたノズル部２Ａとし、下部を前記芳香液流量調節弁６が配置された調節部２Ｂとしている。
【００２３】
前記ノズル部２Ａは、前記調節部２Ｂの上面に突設された支持部２０Ａの中央に前記芳香液噴出用ノズル２１が支持され、前記支持部２０Ａの外周に、先端に前記気体噴出用ノズル２０が開口されたノズルキャップ２０Ｂを螺合取り付けして構成してある。また、ノズルキャップ２０Ｂの内側に前記芳香液噴出用ノズル２１を位置させるとともに、互いの軸線が同軸線上となるように配置してあり、これにより、前記気体噴出用ノズル２０が芳香液噴出用ノズル２１を囲むように開口される。また、気体噴出用ノズル２０の内周面と芳香液噴出用ノズル２１の外周面は、該芳香液噴出用ノズル２１の軸線に向かって交差するように傾斜させてある。
【００２４】
前記気体供給路３は、前記キャップ部１１の周面に突設されたホース接続口３０と、前記凹部１２の上端面１３とに亘って貫通孔状に形成してある。前記ホース接続口３０には、コンプレッサＢに接続したホースＢ１が接続される。そして、コンプレッサＢから圧送される気体が、この気体供給路３を通って芳香液容器Ａ内に供給されるとともに、該芳香液容器Ａ内に圧力を作用させる。
【００２５】
前記気体用連通路４は、前記支持部２０Ａの上端面２１Ａから前記調節部２Ｂおよびキャップ部１１を経て、前記凹部１２の上端面１３に亘って形成された貫通孔４０と、前記ノズルキャップ２０Ｂの内周面と前記芳香液噴出用ノズル２１および支持部２０Ａの外周面との間に確保された空間４１とで構成してある。すなわち、この気体用連通路４は、前記芳香液容器Ａおよび前記気体噴出用ノズル２０と連通しており、前記気体供給路３から供給された気体をその圧力により前記気体噴出用ノズル２０から噴出させるように案内する。
【００２６】
前記芳香液用連通路５は、前記芳香液噴出用ノズル２１の下端部から前記支持部２０Ａおよび調節部２Ｂならびにキャップ部１１を経て、前記凹部１２の上端面１３に突設されたホース接続口５０に亘って形成された貫通孔５１と、前記ホース接続口５０に接続されたホース５２とで構成してある。前記ホース５２は、前記芳香液容器Ａの底部まで至る長さのものである。すなわち、この芳香液用連通路５は、前記芳香液容器Ａおよび前記気体噴出用ノズル２０と連通しており、前記気体供給路３から供給された気体の圧力により、芳香液容器Ａ内の芳香液に対して押し下げる方向の力が加わり、その力で芳香液を前記ホース５２から芳香液噴出用ノズル２１方向へ押し上げて、該芳香液噴射ノズル２１から噴射させるように案内する。
【００２７】
前記芳香液流量調節弁６は、前記芳香液用連通路５の流路の開度調整するニードル弁であり、前記調節部２Ｂの外周面に対して螺合された調節つまみ６０を回動操作して、流路に水密状に挿し込まれたニードル６１を前後動させることにより、流路の大きさを大小変化させて芳香液の流量を制御するものである。
【００２８】
なお、本考案の液体流量調節弁６は、例示したニードル弁に限られず、液体の流量を調節できる構造の弁であればどのようなものでもよい。
【００２９】
図中、符号６２は、前記調節つまみ６０と前記ニードル６１との間に介在して前記調節部２Ｂに螺合される雄ねじ部であり、符号６３は、前記雄ねじ部６２に螺合されたロックナット６３である。すなわち、前記ロックナット６３を前記調節部２Ｂ方向に移動させて締め付けることにより、前記調節つまみ６０を回動不能にしてニードル６１の設定位置を固定することができる。また、前記ロックナット６３を前記調節部２Ｂから離間する方向に移動させて緩めることにより、前記調節つまみ６０が回動可能となる。そして、前記回動可能状態で調節つまみ６０を回動し、前記ニードル６１を前後動させてその設定位置を変更することにより、芳香液の流量を調節する。
【００３０】
以上のとおり、本実施例に用いられる噴霧装置１によれば、コンプレッサにより圧送された気体が、気体供給路３から芳香液容器Ａ内に供給され、該芳香液容器Ａ内に気体による圧力が作用する。該芳香液容器Ａ内に供給された気体は、連続して圧送される気体の圧力により、その一部が上昇して前記気体用連通路４に圧送され、一部が芳香液を押下げる方向に加圧する。前記気体用連通路４に圧送された気体は、連続して圧送される気体の圧力により、前記気体用連通路４を通って前記気体噴出用ノズル２０から噴出する。また、前記加圧された芳香液は、前記芳香液用連通路５に圧送され、連続して加圧される芳香液の圧力により、前記芳香液用連通路５を通って前記前記芳香液噴出用ノズル２１から噴出する。そして、前記芳香液噴出用ノズル２１から噴出する芳香液に対して、前記気体噴出用ノズル２０から噴出する気体が衝突することによって、芳香液が微細な粒子となって霧化し、該霧が連続して噴出する気体により拡散するように噴射する。
【００３１】
また、前記芳香液流量調節弁６により、気体の噴出量を変えずに、芳香液の噴出量のみを調節することができる。すなわち、芳香液の量に対して気体の割合を高くするほど、霧の粒子が細かくなるため、芳香液の噴出量を減らすことにより、より粒子の細かい霧を発生させることができる。しかも、コンプレッサ側の操作を行うことなく、噴霧装置１側での操作のみで、霧の粒子を細かくしたり粗くしたりすることができる。その上、気体の噴出量を変えずに、霧の粒子を細かくしたり粗くしたりが行えるので、一定した勢いで噴霧を行うことができる。さらに、外部混合であるとともに、外部に直接噴射する直噴タイプであるため、霧の液化による芳香液の芳香液容器Ａへの戻りがないので、芳香液容器Ａ内の芳香液の品質を保持できる。
【００３２】
次に、本考案の噴霧装置１の第２実施例を説明する。本実施例の噴霧装置１は、図４に示すように、前記ノズル本体２と前記キャップ部１１とが分離しており、これらノズル本体２とキャップ部１１とを気体用延長ホース７と芳香液用延長ホース８で連結した構造のものである。
【００３３】
なお、以下では、第１実施例と重複する部位についての説明は、図面に同符号を付すことにより省略する。
【００３４】
前記ノズル本体２と前記キャップ部１１には、気体用延長ホース７と芳香液用延長ホース８を接続するホース接続口７０，７１，８０，８１が突設されている。前記ホース接続口７０は、ノズル本体２側の気体用連通路４と連通し、前記ホース接続口７１は、キャップ部１１側の気体用連通路４と連通している。前記ホース接続口８０は、ノズル本体２側の芳香液用連通路５と連通し、前記ホース接続口８１は、キャップ部１１側の芳香液用連通路５と連通している。
【００３５】
以上のとおり、第２実施例の噴霧装置１によれば、前記第１実施例の作用効果に加えて、前記ノズル本体２と前記キャップ部１１の間に、前記気体用延長ホース７と芳香液用延長ホース８を介在したことにより、前記ノズル本体２を芳香液容器Ａから離間して設置することができる。たとえば、前記表示体１１Ａの高さが高く、噴射される霧が連通部１３Ａから出にくいような場合、前記ノズル本体２を表示体１１Ａの連通部１３Ａ近くに設置することにより、表示体１１Ａの外部へ噴霧することができる（図示せず）。
【００３６】
なお、本考案の噴霧装置１は、例示した構造のものに限られず、芳香液を噴霧できるものであれば、どのようなものでもよい。
【図面の簡単な説明】
【００３７】
【図１】本考案に係る表示装置の一部切欠斜視図。
【図２】噴霧装置の第１実施例を示す断面図。
【図３】図２の要部拡大図。
【図４】噴霧装置の第２実施例を示す断面図。
【符号の説明】
【００３８】
１０Ａ：表示装置
１１Ａ:表示体
１３Ａ：連通部
１：噴霧装置
２：ノズル本体
２０：気体噴出用ノズル
２１：芳香液噴出用ノズル
３：気体供給路
４：気体用連通路
５：芳香液用連通路
５２：ホース
６：芳香液流量調節弁
７：気体用延長ホース
８：芳香液用延長ホース
Ａ：芳香液容器
Ａ１：芳香液出口
【図１】
0003146540.tif 000003
【図２】
0003146540.tif 000004
【図３】
0003146540.tif 000005
【図４】
0003146540.tif 000006